(57)【要約】【課題】二次電池の寿命をより容易に判定することができる携帯端末装置および二次電池の寿命判定方法を提供する。【解決手段】携帯端末装置は、携帯端末装置が使用中であるか否か判定する使用状況判定部と、携帯端末装置が使用中でないと使用状況判定部が判定したときに、電池容量消耗率算出手段が算出した電池容量消耗率と、予め設定された電池容量消耗率の規定値とに基づいて、二次電池の寿命が尽きているか否かを判断する寿命判断部と、寿命判断部が二次電池の寿命が尽きていると判断した場合に、二次電池の寿命が尽きている旨を通知する制御を行う通知制御部とを備えている。【選択図】図１
2009008472.tif 000002
【特許請求の範囲】
【請求項１】
二次電池を備えた携帯端末装置であって、
携帯端末装置が使用中であるか否か判定する使用状況判定部と、
二次電池の所定時間あたりの容量の消耗量を示す電池容量消耗率を算出する電池容量消耗率算出部と、
携帯端末装置が使用中でないと前記使用状況判定部が判定したときに、前記電池容量消耗率算出手段が算出した電池容量消耗率と、予め設定された電池容量消耗率の規定値とに基づいて、二次電池の寿命が尽きているか否かを判断する寿命判断部と、
前記寿命判断部が二次電池の寿命が尽きていると判断した場合に、二次電池の寿命が尽きている旨を通知する制御を行う通知制御部と
を備えたことを特徴とする携帯端末装置。
【請求項２】
寿命判断部は、電池容量消耗率算出手段が算出した電池容量消耗率が所定の電池容量消耗率の規定値よりも大きい場合に、二次電池が寿命に達していると判断する請求項１記載の携帯端末装置。
【請求項３】
電池容量消耗率の規定値を予め設定する設定手段を備えた請求項１または請求項２記載の携帯端末装置。
【請求項４】
電池容量消耗率算出部は、所定の時間が経過する間の電池容量の変化に基づいて電池容量消耗率を算出する請求項１から請求項３のうちのいずれか１項に記載の携帯端末装置。
【請求項５】
二次電池を備えた端末装置に適用される二次電池の寿命判定方法であって、
二次電池の所定時間あたりの容量の消耗量を示す電池容量消耗率を算出する電池容量消耗率算出ステップと、
端末装置が使用中でないことを条件に、前記電池容量消耗率算出ステップで算出した電池容量消耗率と、予め設定された電池容量消耗率の規定値とに基づいて、二次電池が寿命に達しているか否かを判断する寿命判断ステップと、
前記寿命判断ステップで二次電池が寿命に達していると判断した場合に、二次電池が寿命に達している旨を通知する制御を行う通知制御ステップと
を含むことを特徴とする二次電池の寿命判定方法。
【請求項６】
寿命判断ステップで、電池容量消耗率算出ステップで算出した電池容量消耗率が所定の電池容量消耗率の規定値よりも大きい場合に、二次電池が寿命に達していると判断する請求項５記載の二次電池の寿命判定方法。
【発明の詳細な説明】
【技術分野】
【０００１】
本発明は、充電可能な二次電池を備えた携帯端末装置および二次電池の寿命判定方法に関する。
【背景技術】
【０００２】
携帯電話機の使用者は、使用状況や、充電間隔が短くなったという感覚的な判断で二次電池の寿命を判断し、交換を行っている。しかし、二次電池の寿命を正確に判断することは難しい。このため、二次電池の寿命が尽き、電池が消耗していることに気付かずに携帯電話機を使用した結果、意図しない電池切れにより、使用を中断しなければならない場合がある。
【０００３】
二次電池の寿命を判定することができるコードレス電話装置や二次電池の寿命判定方法が提案されている（例えば、特許文献１，２参照。）。特許文献１には、電池の端子電圧値の増減速度が充放電電流値の増減速度よりも速くなったことを検出することにより、電池の寿命切れを判断することが記載されている。また、特許文献２には、回路部への電源の供給・遮断に伴う二次電池の電圧変動に基づいて二次電池の寿命を判定し、寿命が尽きると判定した場合に、その旨を報知する携帯電話機が記載されている。
【０００４】
【特許文献１】特開平３−１６０８４５号公報
【特許文献２】特開平８−３０４５１９号公報
【発明の開示】
【発明が解決しようとする課題】
【０００５】
特許文献１には、二次電池の寿命が尽きたのか、寿命は尽きていないが残容量が低下したのかを区別することが記載されている。しかし、特許文献１に記載された方式では、二次電池の寿命が尽きたことを判定する時期が定められていないので、正しく区別することができないおそれがある。また、特許文献２に記載された方式では、二次電池の寿命が尽きたか否かは、通話中に判定されている。
【０００６】
そこで、本発明は、単に残容量が低下した場合に二次電池の寿命が尽きたと判定してしまうことをできるだけ避けつつ、二次電池の寿命を容易に判定することができる携帯端末装置および二次電池の寿命判定方法を提供することを目的とする。
【課題を解決するための手段】
【０００７】
本発明による携帯端末装置は、携帯端末装置が使用中であるか否か判定する使用状況判定部と、二次電池の所定時間あたりの容量の消耗量を示す電池容量消耗率を算出する電池容量消耗率算出部と、携帯端末装置が使用中でないと使用状況判定部が判定したときに、電池容量消耗率算出手段が算出した電池容量消耗率と、予め設定された電池容量消耗率の規定値とに基づいて、二次電池の寿命が尽きているか否かを判断する寿命判断部と、寿命判断部が二次電池の寿命が尽きていると判断した場合に、二次電池の寿命が尽きている旨を通知する制御を行う通知制御部とを備えたことを特徴とする。
【０００８】
本発明による二次電池の寿命判定方法は、二次電池の所定時間あたりの容量の消耗量を示す電池容量消耗率を算出する電池容量消耗率算出ステップと、端末装置が使用中でないことを条件に、電池容量消耗率算出ステップで算出した電池容量消耗率と、予め設定された電池容量消耗率の規定値とに基づいて、二次電池が寿命に達しているか否かを判断する寿命判断ステップと、寿命判断ステップで二次電池が寿命に達していると判断した場合に、二次電池が寿命に達している旨を通知する制御を行う通知制御ステップとを含むことを特徴とする。
【発明の効果】
【０００９】
本発明によれば、単に残容量が低下した場合に二次電池の寿命が尽きたと判定してしまうことをできるだけ避けつつ、二次電池の寿命を容易に判定することができるという効果がある。
【発明を実施するための最良の形態】
【００１０】
実施形態１．
以下、本発明の第１の実施形態を図面を参照して説明する。図１は、第１の実施形態の携帯端末装置の構成の一例を示すブロック図である。以下、携帯端末装置として携帯電話機を例に説明する。
【００１１】
図１に示す携帯電話機１０は、携帯電話機本体１００を備える。携帯電話機本体１００は、制御部１と、電池容量消耗率算出部６とを含む。制御部１および電池容量消耗率算出部６は、プログラムに従って動作するＣＰＵによって実現される。
【００１２】
制御部１は、通知制御部１１と使用状況判定部１４とを有する。電池容量消耗率算出部６は、消耗率算出部１２と、寿命判断部１３とを有する。
【００１３】
消耗率算出部１２は、一定時間毎に検出された二次電池の容量に基づいて、所定時間あたりの電池容量消耗率を算出する。
【００１４】
寿命判断部１３は、消耗率算出部１２が算出した電池容量消耗率と、予め設定された電池容量消耗率の規定値とに基づいて、二次電池の寿命が尽きているか否かを判断する。例えば、寿命判断部１３は、消耗率算出部１２が算出した電池容量消耗率が規定値よりも大きい場合に、二次電池の寿命が尽きていると判断する。なお、「寿命が尽きている」という概念には、全く尽きたことに加えて、使用可能ではあるが使用に支障を来す（例えば、充電間隔が短い。）ことも含まれる。また、予め設定された電池容量消耗率の規定値は、二次電池の寿命が尽きているか否か判断するためのしきい値に相当する。
【００１５】
通知制御部１１は、二次電池の寿命が尽きていると寿命判断部１３が判断した場合に、その旨を通知する制御を行う。使用状況判定部１４は、ユーザ操作に応じて信号を出力する操作部（図示せず）からの信号や、アンテナ（図示せず）を介して通信を行う通信部（図示せず）の動作状況に応じて、携帯電話機１０が使用中であるか否か判定する。
【００１６】
次に、図面を参照して第１の実施形態の動作について説明する。図２は、第１の実施形態の携帯端末装置の動作の一例を示すフローチャートである。
【００１７】
消耗率算出部１２は、一定時間毎に検出された二次電池の容量の変化に基づいて、所定時間あたりの電池容量消耗率を算出する（ステップＳ１１）。なお、二次電池の容量の変化を求めるために、一般的な携帯電話機が有している二次電池の残容量表示機能を実現するための二次電池の残容量算出機能を利用できる。
【００１８】
寿命判断部１３は、消耗率算出部１２が算出した電池容量消耗率と、予め設定された電池容量消耗率の規定値とに基づいて、二次電池の寿命が尽きているか否かを判断する（ステップＳ１２）。なお、寿命判断部１３は、携帯電話機１０が使用中でないことを条件に、二次電池の寿命が尽きているか否か判断する。
【００１９】
通知制御部１１は、寿命判断部１３によって二次電池の寿命が尽きていると判断された場合に（はい）、二次電池の寿命が尽きている旨を通知する制御を行う（ステップＳ１３）。二次電池の寿命が尽きていないと判断された場合には（いいえ）、ステップＳ１１に移行する。
【００２０】
以上に説明したように、第１の実施形態によれば、電池容量消耗率が予め設定したしきい値を越えると、二次電池の寿命が尽きたことを通知する。そのため、使用者が電池の寿命を判断する必要がなく、電池消耗に伴う意図しない電池切れによる使用中断を避けることができる。
【００２１】
実施形態２．
以下、本発明の第２の実施形態を図面を参照して説明する。図３は、第２の実施形態の携帯端末装置の構成の一例を示すブロック図である。図３に示す携帯電話機１０は、携帯電話機本体１００と、電池パック２００とを備える。
【００２２】
携帯電話機本体１００は、制御部１と、報知部２と、ＬＣＤ３と、スピーカ４と、タイマ設定部５と、電池容量消耗率算出部６と、電池容量検出部７とを含む。
【００２３】
電池パック２００は、充電可能な二次電池８を含む。
【００２４】
タイマ設定部５は、予め設定された時間が経過したことを電池容量検出部７に通知する。
【００２５】
電池容量検出部７は、タイマ設定部５からの指示に基づいて、二次電池８の容量の残量を検出する。
【００２６】
電池容量消耗率算出部６は、電池容量検出部７が一定時間毎に検出した二次電池８の容量の変化値と、タイマ設定部５に設定されている時間とに基づいて、所定時間あたりの電池容量消耗率を算出する。以下、電池容量消耗率算出部６が算出した所定時間あたりの電池容量消耗率を、電池容量消耗率（Ｂ）と表記する場合がある。
【００２７】
また、電池容量消耗率算出部６は、算出した電池容量消耗率（Ｂ）が、予め設定済みの電池容量消耗率の規定値よりも大きくなった場合、二次電池８の寿命が尽きている旨を制御部１に通知する。なお、第１の実施形態における消耗率算出部１２および寿命判断部１３は、第２の実施形態において、電池容量消耗率算出部６によって実現される。以下、予め設定された電池容量消耗率の規定値を、電池容量消耗率（Ａ）と表記する場合がある。
【００２８】
制御部１は、携帯電話機１０の各部の制御を行う。また、制御部１は、電池容量消耗率算出部６から、二次電池８の寿命が尽きている旨の通知を受けると、例えば、報知部２に接続されるＬＣＤ３にその旨を表示させ、スピーカ４を鳴動させる制御を行う。制御部１は、上記の処理により、電池パック２００が寿命であることを使用者に知らせる。なお、第１の実施形態における通知制御部１１および使用状況判定部１４の機能は、第２の実施形態において、制御部１によって実現される。
【００２９】
ＬＣＤ３は、制御部１の制御により、二次電池８の寿命が尽きていることを表示するディスプレイ装置である。スピーカ４は、制御部１の制御により、二次電池８の寿命が尽きていることを示す警告音を出力する。
【００３０】
次に、図面を参照して第２の実施形態の動作について説明する。図４は、第２の実施形態の携帯端末装置の動作の一例を示すフローチャートである。
【００３１】
電池容量検出部７は、まず、二次電池８の容量の残量を検出する（ステップＳ２１）。そして、電池容量検出部７は、二次電池８が充電されたか否かを確認する（ステップＳ２２）。二次電池８が充電されている場合（はい）、ステップＳ２１に移行する。
【００３２】
ステップＳ２２において、二次電池８が充電されていない場合（いいえ）、制御部１は、携帯電話機１０に対し、通信やメール送信等の操作が行われていないかを確認する（ステップＳ２３）。携帯電話機１０に対する操作が行われている場合（はい）、ステップＳ２１に移行する。
【００３３】
ステップＳ２３において、携帯電話機１０に対する操作が行われていない場合（いいえ）、タイマ設定部５は、予め設定された時間が経過したか否かを判断する（ステップＳ２４）。設定時間が経過していないと判断した場合（いいえ）、ステップＳ２２に移行する。なお、携帯電話機１０に対する操作が行われている場合には、携帯電話機１０が通信等を行っている場合も含むとする。すなわち、携帯電話機１０が待ち受け状態ではない動作中（使用中）であることを意味する。
【００３４】
ステップＳ２４において、設定時間が経過したと判断した場合（はい）、電池容量検出部７は、二次電池８の容量の残量を検出する（ステップＳ２５）。
【００３５】
電池容量消耗率算出部６は、タイマ設定部５に設定された時間が経過する間の電池容量の変化（電池容量消耗率（Ｂ））を算出する（ステップＳ２６）。
【００３６】
電池容量消耗率算出部６は、二次電池の寿命が尽きているか否か判断するためのしきい値に相当する電池容量消耗率（Ａ）と、ステップＳ２６で算出した電池容量消耗率（Ｂ）とを比較し、（Ｂ）＞（Ａ）であるか否かを判断する（ステップＳ２７）。
【００３７】
ステップＳ２７において、（Ｂ）＞（Ａ）を満たしている場合（はい）、電池容量消耗率算出部６は、二次電池８の寿命が尽きている旨を制御部１に通知し、制御部１は、報知部２に接続されるＬＣＤ３に「電池寿命である」旨を表示させ、スピーカ４に警告音を鳴動させる制御を行う（ステップＳ２８）。
【００３８】
以上に説明したように、第２の実施形態によれば、電池容量消耗率が電池の寿命を示す規定値よりも大きい場合に、二次電池の寿命が尽きたと判断し、通知する。また、携帯電話機が使用中である場合には二次電池が劣化していなくても当然に二次電池の容量は減っていくが、第２の実施形態では、図４に示すように、電池容量消耗率算出部６は、携帯電話機が使用中でないことを条件として二次電池の寿命が尽きているか否か判定する。よって、その判定において、携帯電話機の使用にもとづく二次電池の容量低下の影響を排除できる。
【００３９】
実施形態３．
以下、本発明の第３の実施形態を図面を参照して説明する。図５は、第３の実施形態の携帯端末装置の構成の一例を示すブロック図である。図５に示す携帯電話機１０は、携帯電話機本体１００と、電池パック２００とを備える。
【００４０】
携帯電話機本体１００は、制御部１と、報知部２と、ＬＣＤ３と、スピーカ４と、タイマ設定部５と、電池容量消耗率算出部６と、電池容量検出部７と、電池容量消耗率規定値設定部９を含む。
【００４１】
電池パック２００は、充電可能な二次電池８を含む。
【００４２】
電池容量消耗率規定値設定部９は、使用者の操作により、電池容量消耗率の規定値（電池容量消耗率（Ａ））を設定する。
【００４３】
電池容量消耗率算出部６は、算出した電池容量消耗率（Ｂ）と、電池容量消耗率規定値設定部９が設定した電池容量消耗率（Ａ）とに基づいて、二次電池８の寿命が尽きているか否かを判断する。
【００４４】
なお、第２の実施形態における携帯電話機１０と同様の構成部については、図３と同一の符号を付し、説明を省略する。
【００４５】
第３の実施形態によれば、第１、第２の実施形態による効果に加えて、二次電池の寿命が尽きているか否か判断するためのしきい値を使用者が自由に設定することができるという効果がある。
【００４６】
なお、上記の各実施形態では、携帯端末装置として携帯電話機を例示したが、携帯電話機に限られず、ＰＤＡ等であってもよい。
【００４７】
なお、上記に示した実施例では、以下の（１）〜（５）に示すような携帯端末装置の特徴的構成が示されている。
【００４８】
（１）携帯端末装置が使用中であるか否か判定する使用状況判定部（例えば、使用状況判定部１４で実現される）と、二次電池の所定時間あたりの容量の消耗量を示す電池容量消耗率を算出する電池容量消耗率算出部（例えば、消耗率算出部１２で実現される）と、携帯端末装置が使用中でないと使用状況判定部が判定したときに、電池容量消耗率算出手段が算出した電池容量消耗率と、予め設定された電池容量消耗率の規定値とに基づいて、二次電池の寿命が尽きているか否かを判断する寿命判断部（例えば、寿命判断部１３で実現される）と、寿命判断部が二次電池の寿命が尽きていると判断した場合に、二次電池の寿命が尽きている旨を通知する制御を行う通知制御部（例えば、通知制御部１１で実現される）とを備えたことを特徴とする。
【００４９】
（２）寿命判断部は、電池容量消耗率算出手段が算出した電池容量消耗率が所定の電池容量消耗率の規定値よりも大きい場合に、二次電池の寿命が尽きていると判断するように構成されていてもよい。
【００５０】
（３）電池容量消耗率の規定値を予め設定する設定手段（例えば、電池容量消耗率規定値設定部９で実現される）を備えたように構成されていてもよい。
【００５１】
（４）電池容量消耗率算出部は、所定の時間が経過する間の電池容量の変化に基づいて電池容量消耗率を算出するように構成されていてもよい。
【産業上の利用可能性】
【００５２】
本発明は、充電可能な二次電池を備える携帯端末装置に効果的に適用される。
【図面の簡単な説明】
【００５３】
【図１】第１の実施形態の携帯端末装置の構成の一例を示すブロック図である。
【図２】第１の実施形態の携帯端末装置の動作の一例を示すフローチャートである。
【図３】第２の実施形態の携帯端末装置の構成の一例を示すブロック図である。
【図４】第２の実施形態の携帯端末装置の動作の一例を示すフローチャートである。
【図５】第３の実施形態の携帯端末装置の構成の一例を示すブロック図である。
【符号の説明】
【００５４】
１      制御部
６      電池容量消耗率算出部
１０    携帯電話機
１１    通知制御部
１２    消耗率算出部
１３    寿命判断部
１４    使用状況判定部
１００  携帯電話機本体
【図１】
2009008472.tif 000003
【図２】
2009008472.tif 000004
【図３】
2009008472.tif 000005
【図４】
2009008472.tif 000006
【図５】
2009008472.tif 000007